(57)【要約】【課題】ヒサシやツバ裏の汚れ、額の不快感や圧迫感を無くすると共に、視野が広くなり、目線に無理がないようにすることのできる帽子やサンバイザーのような冠り物を提供する。【解決手段】冠り物本体１と、ヒサシ２とからなる冠り物Ｋ１において、冠り物本体１の下端周縁部の前半部側と、ヒサシ２の内周縁部との間に、平面視略弓形のステップ部材３を、このステップ部材３の表面と冠り物本体１の立上部外周面との対向角度αが鈍角を成し且つステップ部材３の裏面とヒサシ２の裏面との対向角度βが鈍角を成すように介設し、使用にあたり、ステップ部材３の裏面の内周縁部を冠り物使用者の額４の髪の生え際５に位置させて被るようになっている。【選択図】図３
2007131961.tif 000002
【特許請求の範囲】
【請求項１】
クラウン等の冠り物本体と、ヒサシ又はツバとからなる帽子等の冠り物であって、冠り物本体の下端周縁部の概ね前半部側と、ヒサシ又はツバの内周縁部との間に、平面視略弓形のステップ部材を、このステップ部材の表面と冠り物本体の立上部外周面との対向角度が鈍角を成し且つステップ部材の裏面とヒサシ又はツバの裏面との対向角度が鈍角を成すように介設し、使用にあたり、前記ステップ部材の裏面の内周縁部を冠り物使用者の額の髪の生え際に位置させて被るようにしたことを特徴とする帽子等の冠り物。
【請求項２】
前記冠り物本体は、冠り物使用者の頭部に巻き付けて後ろで縛る鉢巻き部材又は頭部に嵌める長さ調整自在のバンド部材と、鉢巻き部材又はバンド部材の略々前半部表面側に係止布を介して着脱自在に取り付けられる帯状本体とからなるもので、この帯状本体の下端周縁部とヒサシの内周縁部との間に前記ステップ部材を介設してなることを特徴とする請求項１に記載の帽子等の冠り物。
【請求項３】
前記ステップ部材は、表面側被材と裏面側被材と両被材間に介挿された芯材とからなることを特徴とする請求項１又は２に記載の帽子等の冠り物。
【発明の詳細な説明】
【技術分野】
【０００１】
本発明は、帽子やサンバイザーのような冠り物に関するもので、主として女性用の冠り物に関する。
【背景技術】
【０００２】
帽子は、クラウンと、このクラウンの下端周縁部に突設されたツバとから構成される。図９には従来のサンバイザーＫ０を示しているが、このサンバイザーＫ０は、帽子の場合のクラウンの一部を形成するような長さ調整自在のバンド部材（冠り物本体）１と、このバンド部材１の下端周縁部の前半部側に突設されたヒサシ２とから構成される。
【発明の開示】
【発明が解決しようとする課題】
【０００３】
帽子も同じことであるが、サンバイザーＫ０は、図９から分かるように、被った時に、ヒサシ２の裏面側内周縁部が使用者の額４の中程にくっつくようになっていることから、このヒサシ２の裏面側内周縁部分、及びバンド部材１の内側に付けられるサイズリボンの下の付け根部分が皮脂やファンデーションなどで汚れ易く、特に夏季においては汗が多く出るため、その汚れがひどくなる。また、ヒサシ２の内周縁部が額４にくっつことは、皮脂やファンデーションによる汚れのうっとうしさに加えて、額４に対する圧迫感や暑苦しさをもらたし、同時にまた額４、つまりオデコにシワが入らないかという不安感を誘い、女性にとってはむしろこの不安感の方が大きいと言える。さらにまた、図９に示すように額４の中程にヒサシ２の内周縁部がくっつくことによって、視野が狭くなり、目線の点からも問題がある。このような問題は、帽子についても同様である。
【０００４】
本発明は、上記の課題に鑑み、ヒサシやツバ裏の汚れ、額の不快感や圧迫感を無くすると共に、視野が広くなり、目線に無理がないようにすることのできる帽子やサンバイザーのような冠り物を提供することを目的とする。
【課題を解決するための手段】
【０００５】
上記課題を解決するための手段を、後述する実施形態の参照符号を付して説明すると、請求項１に係る発明は、クラウン等の冠り物本体１，１１，２１と、ヒサシ２又はツバ１２とからなる帽子等の冠り物Ｋ１，Ｋ２において、冠り物本体１，１１，２１の下端周縁部の概ね前半部側と、ヒサシ２又はツバ１２の内周縁部との間に、平面視略弓形のステップ部材３，１３を、このステップ部材３，１３の表面と冠り物本体１，１１の立上部外周面との対向角度αが鈍角を成し且つステップ部材３，１３の裏面とヒサシ２又はツバ１２の裏面との対向角度βが鈍角を成すように介設し、使用にあたり、前記ステップ部材３，１３の裏面の内周縁部を冠り物使用者の額４の髪の生え際５に位置させて被るようにしたことを特徴とする。
【０００６】
請求項２は、請求項１に記載の帽子等の冠り物において、前記冠り物本体２１は、冠り物使用者の頭部に巻き付けて後ろで縛る鉢巻き部材１４又は頭部に嵌める長さ調整自在のバンド部材１５と、鉢巻き部材１４又はバンド部材１５の略々前半部表面側に係止布１６，１７を介して着脱自在に取り付けられる帯状本体１８とからなるもので、この帯状本体１８の下端周縁部とヒサシ２の内周縁部との間に前記ステップ部材３を介設してなることを特徴とする。
【０００７】
請求項３は、請求項１又は２に記載の帽子等の冠り物において、前記ステップ部材３，１３は、表面側被材３ａと裏面側被材３ｂと両被材３ａ，３ｂ間に介挿された芯材３ｃとからなることを特徴とする。
【発明の効果】
【０００８】
上記解決手段による発明の効果を、後述する実施形態の参照符号を付して説明すると、請求項１に係る発明によれば、冠り物本体１，１１の下端周縁部の前半部側と、ヒサシ２又はツバ１２の内周縁部との間に、平面視略弓形のステップ部材３，１３を、このステップ部材３，１３の表面と冠り物本体１，１１の立上部外周面との対向角度αが鈍角を成し且つステップ部材３，１３の裏面とヒサシ２又はツバ１２の裏面との対向角度βが鈍角を成すように介設して、ステップ部材３，１３の裏面の内周縁部３ｏ，１３ｏを冠り物使用者の額４の髪の生え際５に位置させて被るようになっているから、冠り物はヒサシ２又はツバ１２の裏側が額４の皮脂やファンデーションなどで汚れることがほとんどなくなり、特に汗をかき易い夏季等においてはこの汚れ防止効果が顕著となる。そして、この場合、額４の髪の生え際５は、発汗も少なく、ファンデーションも塗られていない状態にあるため、ステップ部材３，１３裏面の内周縁部３ｏ，１３ｏやサイズリボンの下の付け根部分が汚れることはほとんどなくなる。
【０００９】
また、ヒサシ２又はツバ１２の裏面側内周縁部分が額４にくっつかないために、額４に対する圧迫感や暑苦しさがなく、額４のうっとうしさの問題が解消されると共に、オデコにシワが入らないかという不安感が安心感に変わり、気持ち良く着用できるようになる。さらに、この発明に係る冠り物では、ヒサシ２又はツバ１２の裏面の上端部側が使用者の額４から離間した状態となって、ヒサシ２又はツバ１２の裏面と使用者の額４との間の空間が、従来の例えばサンバイザーＫ０におけるヒサシ２の裏面と額４との間の空間よりも大きくなることから、視野が広く、目線に無理がなくなって、被り心地が非常に良好となる。さらにまた、ステップ部材３，１３裏面の内周縁部３ｏ，１３ｏを額４の髪の生え際５に位置させた状態で被るようにした本発明の冠り物によれば、鉢巻きを締めたような快感が、頭に伝わって、気持ちまで引き締まるようになる。
【００１０】
請求項２に記載のように、冠り物本体２１が、鉢巻き部材１４又は長さ調整自在のバンド部材１５と、鉢巻き部材１４又はバンド部材１５の略々前半部表面側に係止布１６，１７を介して着脱自在に取り付けられる帯状本体１８とからなるものによれば、鉢巻き部材１４又はバンド部材１５と、ヒサシ２とステップ部材３と帯状本体１８との結合体１９とが互いに着脱自在であるから、ヒサシ２を使用しない時は、結合体１９の帯状本体１８を鉢巻き部材１４又はバンド部材１５から引き剥がし、鉢巻き部材１４又はバンド部材１５を頭部に付けたままにしておけば、その結合体１９を取り外す時に、鉢巻き部材１４又はバンド部材１５によって髪が乱れるようなことがない。
【００１１】
請求項３に記載のように、ステップ部材３，１３を、表面側被材３ａと裏面側被材３ｂと両被材３ａ，３ｂ間に介挿した芯材３ｃとから構成すれば、このステップ部材３，１３が丈夫でしかも腰を有するものとなり、それによって形崩れすることがない。
【発明を実施するための最良の形態】
【００１２】
以下に本発明の好適実施形態を図１〜図８に基づいて説明すると、先ず図１は本発明に係る冠り物としてのサンバイザーＫ１の使用状態を示す側面図、図２の(a) は同サンバイザーＫ１を斜め上方から見た斜視図、(b) は同サンバイザーＫ１を斜め下方から見た斜視図であり、図３は同サンバイザーＫ１の一部拡大縦断面図である。
【００１３】
このサンバイザーＫ１は、帽子の場合のクラウンの一部を形成する、冠り物本体としての長さ調整自在のバンド部材１と、このバンド部材１の下端周縁部の前半部側から突出するようなヒサシ２とからなるもので、バンド部材１の下端周縁部の概ね前半部側と、ヒサシ２の内周縁部との間には、図３にから分かるように、平面視略弓形のステップ部材３が、このステップ部材３の表面とバンド部材１の立上部外周面との対向角度αが鈍角を成し且つステップ部材３の裏面とヒサシ２の裏面との対向角度βが鈍角を成すように介設されていて、その使用にあたって、ステップ部材３の裏面の内周縁部３ｏをサンバイザー使用者の額４の髪の生え際５に位置させた状態で使用者の頭部に被せられるようになっている。
【００１４】
上記サンバイザーＫ１の構造について更に詳しく説明すれば、バンド部材１は、図２の(a) ，(b) に示すように、帯状本体６と、この帯状本体４の両端部間に介装されたゴム紐７とからなる。この帯状本体６は、図３に示すように、表面側被材６ａと裏面側被材６ｂと両被材６ａ，６ｂ間に介挿された軟質の芯材６ｃとからなる。この軟質の芯材６ｃとしては、キルト綿、不織布、接着芯等が使用される。帯状本体６の両端部は、夫々折り返して縫合することによって折り返し筒部６ｏ，６ｏを形成し、両折り返し筒部６ｏ，６ｏにゴム紐７が挿通されて、伸縮できるようになっている。尚、このようなサンバイザーには一般に帯状本体６の内側にサイズリボンが付けられるが、この実施形態ではサイズリボンを省略している。
【００１５】
ヒサシ２は、図３に示すように、表面側被材２ａと裏面側被材２ｂと両被材２ａ，２ｂ間に介挿された軟質の芯材２ｃとからなり、そしてステップ部材３も、帯状本体６やヒサシ２と同様に、表面側被材３ａと裏面側被材３ｂと両被材３ａ，３ｂ間に介挿された軟質の芯材３ｃとからなる。このステップ部材３及びヒサシ２の芯材３ｃ，２ｃには、上記帯状本体６の芯材６ｃと同様に、キルト綿、不織布、接着芯等の軟質芯材が使用される。
【００１６】
このようにヒサシ２、ステップ部材３及び帯状本体６を夫々、表面側被材２ａ，３ａ，６ａと裏面側被材２ｂ，３ｂ，６ｂと軟質の芯材２ｃ，３ｃ，６ｃとから構成することにより、ヒサシ２、ステップ部材３及び帯状本体６が夫々丈夫でしかも腰を有するものとなって、形崩れすることがなく、そして使用しない時には折り畳んでバッグ等の中に仕舞うことができて、非常に便利である。尚、この実施形態では軟質の芯材について説明しているが、サンバイザー（あるいは帽子）のデザインによっては、硬質の芯材を使用することもある。
【００１７】
また、図示は省略するが、ヒサシ２、ステップ部材３及び帯状本体６の全てをメッシュ材料で形成するか、あるいは少なくともステップ部材３をメッシュ材料によって形成することにより、風通しが良く、汗をかきにくくなる上に、サンバイザーＫ１が風邪で飛ばされにくくなる利点がある。
【００１８】
このサンバイザーＫ１の作製において、平面視略弓形のステップ部材３の内周縁部が、バンド部材１の帯状本体６下端周縁部の前半部側にわたって縫着され、またステップ部材３の外周縁部が、ヒサシ２の内周縁部に縫着され、それによってステップ部材３の表面とバンド部材１の立上部外周面との対向角度αが鈍角を成し且つステップ部材３の裏面とヒサシ２の裏面との対向角度βが鈍角を成すようになっている。このステップ部材３の内周縁部の長さは、バンド部材１の全周長さの概ね１／２とされるが、必要に応じて、それより短くしてもよいし、長くしてもよい。
【００１９】
上記ステップ部材３の表面とバンド部材１の立上部外周面との対向角度αは、１２０°〜１５０°程度とされ、またステップ部材３の裏面とヒサシ２の裏面との対向角度βは、例えば１３０°〜１６０°程度とされる。
【００２０】
尚、バンド部材１の帯状本体６を作製するにあたっては、この帯状本体６の下端周縁部の概ね前半部側に平面視略弓形のステップ部材３が取り付けられることから、この帯状本体６の前部側を幅狭く、この前部側から後部側にわたって幅広く形成することによって、サンバイザーＫ１の着用時に、バンド部材１の前部側の立ち上がり高さが目立って高くならず、体裁が良く、格好が良くなる。
【００２１】
上記のような構成よりなるサンバイザーＫ１の使用にあたっては、図１及び図３に示すように、冠り物本体としての長さ調整自在なバンド部材１を使用者の頭部に嵌め込んで、ステップ部材３の裏面の内周縁部３ｏが使用者の額４の髪の生え際５に位置させた状態とする。
【００２２】
このようにステップ部材３裏面の内周縁部３ｏを使用者の額４の髪の生え際５に位置させた状態で被ることによって、サンバイザーＫ１は、ヒサシ２の裏側やサイズリボンが額４の皮脂やファンデーションなどで汚れることがほとんどなくなり、特に汗をかき易い夏季等においてはこの汚れ防止効果が顕著となる。この場合、額４の髪の生え際５は、発汗も少なく、ファンデーションも塗られていない状態にあるため、ステップ部材３裏面の内周縁部３ｏやサイズリボンの付け根部分がほとんど汚れない。
【００２３】
また、ヒサシ２の裏面側内周縁部分が額４にくっつかないことから、額４に対する圧迫感や暑苦しさがなく、額４のうっとうしさの問題が解消されると共に、オデコにシワが入らないかという不安感が安心感に変わり、気持ち良く着用することができるようになる。そしてさらに、従来のサンバイザーＫ０の着用状態を示す図６と、本発明のサンバイザーＫ１の着用状態を示す図２及び図３とを比較すれば明らかなように、本発明に係るサンバイザーＫ１では、ヒサシ２の裏面の上端部側が使用者の額４から離間した状態となって、ヒサシ２裏面と使用者の額４との間の空間が、従来のサンバイザーＫ０におけるヒサシ２裏面と額４との間の空間よりも大きくなることから、従来よりも視野が広く、目線に無理がなくなって、被り心地が非常に良好となる。
【００２４】
さらにまた、ステップ部材３裏面の内周縁部３ｏを額４の髪の生え際５に位置させた状態で被るようにしたサンバイザーＫ１によれば、鉢巻きを締めたような快感が、頭に伝わって、気持ちまで引き締まるようになる。
【００２５】
図４は本発明に係る冠り物としての帽子Ｋ２の使用状態を示す斜視図、図５は同帽子Ｋ２の使用状態を示す縦断面図である。この帽子Ｋ２は、冠り物本体としてのクラウン１１と、このクラウン１１の下端周縁部にその全周にわたって突設されたツバ１２とからなるもので、クラウン１１の下端周縁部の前半部側とツバ１２の内周縁部との間には、前記サンバイザーＫ１のステップ部材３と同様な平面視略弓形のステップ部材１３が、このステップ部材１３の表面とクラウン１１の立上部外周面との対向角度αが鈍角を成し且つステップ部材１３の裏面とツバ１２の裏面との対向角度βが鈍角を成すように介設されている。対向角度α及びβについては、サンバイザーＫ１の場合と同様とする。尚、このような帽子Ｋ２のクラウン１１には、一般にクラウン１１の下端部内周面に沿ってサイズリボンが付けられるが、この実施形態ではそれを省略している。
【００２６】
このステップ部材１３の内周縁部の長さは、クラウン１１の下端周縁部の全周長さの概ね１／２とされるが、必要に応じて、それより短くしてもよいし、長くしてもよい。尚、図示は省略するが、ステップ部材１３は、サンバイザーＫ１のステップ部材３と同様に、表面側被材と裏面側被材と両被材間に介挿された軟質の芯材（あるいは硬質の芯材）とからなるものとする。
【００２７】
しかして、この帽子Ｋ２の使用にあたっては、図５から分かるように、冠り物本体としてのクラウン１１を使用者の頭部に被せて、ステップ部材１３の裏面の内周縁部１３ｏが使用者の額４の髪の生え際５に位置させた状態とすればよい。
【００２８】
このように帽子Ｋ２をステップ部材１３の裏面の内周縁部１３ｏが額４の髪の生え際５に位置するように被ることにより、この帽子Ｋ２は、サンバイザーＫ１の場合と同様に、ツバ１２の裏側が額４の皮脂やファンデーションなどで汚れることがほとんどなくなり、汗をかき易い夏季等においては特にこの汚れ防止効果が顕著となる。
【００２９】
また、ツバ１２の裏面側内周縁部分が額４にくっつかないことから、額４に対する圧迫感や暑苦しさがなく、額４のうっとうしさの問題が解消されると共に、オデコにシワが入らないかという不安感が安心感に変わり、気持ち良く着用することができるようになる。また、従来のサンバイザーＫ０の着用状態を示す図６と、本発明の帽子Ｋ２の着用状態を示す図５とを対比しても分かるように、本発明に係る帽子Ｋ２は、ツバ１２の裏面の上端部側が使用者の額４から離間した状態となって、ツバ１２裏面と使用者の額４との間の空間が大きくなることから、視野が広く、目線に無理がなくなって、被り心地が非常に良好となる。
【００３０】
図６〜図８は本発明の更に他の実施形態によるサンバイザーとしての冠り物Ｋ３示す。この冠り物Ｋ３は、冠り物本体２１とヒサシ２とからなるもので、冠り物本体２１は、図８から分かるように、冠り物使用者の頭部に巻き付けて後ろで縛る鉢巻き部材１４（図６の(a) 参照）、又は冠り物使用者の頭部に嵌める長さ調整自在のバンド部材１５（図６の(b) 参照））と、鉢巻き部材１４又はバンド部材１５の略々前半部表面側に係止布１６，１７を介して着脱自在に取り付けられる帯状本体１８と、からなるもので、この帯状本体１８の下端周縁部とヒサシ２の内周縁部との間にステップ部材３が介設されている。
【００３１】
鉢巻き部材１４は比較的厚手の生地で形成されたもので、図６及び図８に示すように、その表側には、冠り物使用者の頭部に巻き付けた時に正面部から両耳の上側位置に亘って一連の係止布１６が取り付けられている。またバンド部材１５は、図６の(b) に示すように、鉢巻き部材１４と同様な生地で帯状に形成された本体１５ａと、この本体１５ａの両端部に連結されたゴム紐１５ｂとからなるもので、本体１５ａの表面側には、その正面部から両耳の上側位置に亘って鉢巻き部材１４と同様な係止布１６が取り付けてある。
【００３２】
冠り物本体２１の帯状本体１８は、サンバイザーＫ１の帯状本体６と同じ様な材質からなるもので、この帯状本体１８の裏面側には、図７の(a) ，(b) に示すように、正面部位と両耳の上側位置とに、鉢巻き部材１４やバンド部材１５に取り付けられた係止布１６に対し係脱自在に係止し得る係止布１７が取り付けられている。これらの係止布１６，１７はマジックファスナー（登録商標）からなる。
【００３３】
この冠り物Ｋ３のヒサシ２及びステップ部材３の構造ならびに製作方法については、前述した冠り物Ｋ１，Ｋ２の場合と同様である。
【００３４】
この冠り物Ｋ３の使用にあたっては、図８に示すように、冠り物本体２１の一部を構成する例えば鉢巻き部材１４を使用者の頭部に巻き付けて後ろでしっかりと縛る。この鉢巻き部材１４を巻き付ける際には、図８から分かるように、鉢巻き部材１４の下端縁が冠り物使用者の額４の髪の生え際５から若干上方へ離れるようにして巻き付ける。こうして、鉢巻き部材１４を頭部に巻き付けた後、帯状本体１８とステップ部材３とヒサシ２との結合体１９を頭部に近づけて、その帯状本体１８の裏面側を鉢巻き部材１４の表面側に当て付け、係止布１６，１７を介して帯状本体１８を鉢巻き部材１４に接合し、同図の仮想線図示の状態とする。この時、ステップ部材３のステップ部材３の裏面の内周縁部が、使用者の額４の髪の生え際５に位置する状態とする。
【００３５】
この鉢巻き部材１４に代えて、バンド部材１５（図６の(b) 参照）を使用する場合も、使用方法は上記同様である。
【００３６】
この冠り物Ｋ３は、上記のように鉢巻き部材１４又はバンド部材１５と、ヒサシ２とステップ部材３と帯状本体１８との結合体１９とを互いに着脱自在にしたもので、ヒサシ２を使用しない時は、その結合体１９の帯状本体１８を鉢巻き部材１４又はバンド部材１５から引き剥がし、鉢巻き部材１４又はバンド部材１５を頭部に付けたままにしておけば、この鉢巻き部材１４又はバンド部材１５によって、髪が乱れるようなことがなくなり、髪を直す手間も少なくなる。
【００３７】
以上説明した本発明の実施形態の冠り物Ｋ１〜Ｋ３は、何れも布地を縫製加工して形成した場合であるが、本発明の冠り物は、このような縫製による他に、ポリプロピレン等のプラスチックシート又は所要の厚紙を成形型に入れてプレス成形することにより形成してもよいし、また冠り物の全体を所要の編み糸で編むことによって形成することができる。例えばサンバイザーＫ１を型成形する場合は、バンド部材１の帯状本体６とステップ部材３とヒサシ２とをプラスチック等で一体に形成し、帯状本体６の両端部にゴム紐７を取り付ければ良い。また、帽子Ｋ２の型成形する場合は、クラウン１１、ツバ１２及びステップ部材３の全体をプラスチック等で一体に形成することができる。
【図面の簡単な説明】
【００３８】
【図１】本発明に係る冠り物としてのサンバイザーＫ１の使用状態を示す側面図である。
【図２】(a) は同サンバイザーＫ１を前部斜め上方から見た斜視図、(b) は同サンバイザーＫ１を後ろ斜め下方から見た斜視図である。
【図３】同サンバイザーＫ１の一部拡大縦断面図である。
【図４】本発明に係る冠り物としての帽子Ｋ２の使用状態を示す斜視図である。
【図５】同帽子Ｋ２の使用状態を示す縦断面図である。
【図６】(a) は本発明に係る冠り物Ｋ３の一部を構成する鉢巻き部材１４を示す斜視図、(b) はバンド部材１５を示す斜視図である。
【図７】(a) は冠り物Ｋ３の主要部を前部斜め上方から見た斜視図、(b) は同冠り物Ｋ３を後ろ斜め下方から見た斜視図である。
【図８】冠り物Ｋ３の使用方法を示す側面図である。
【図９】従来のサンバイザーＫ０の使用状態を示す側面図である。
【符号の説明】
【００３９】
Ｋ１          サンバイザー（冠り物）
１            サンバイザーのバンド部材（冠り物本体）
２            サンバイザーのヒサシ
３            サンバイザーのステップ部材
３ａ          ステップ部材の表面側被材
３ｂ          ステップ部材の裏面側被材
３ｃ          ステップ部材の硬質芯材
４            使用者の額
５            額の髪の生え際
Ｋ２          帽子（冠り物）
１１          帽子のクラウン（冠り物本体）
１２          帽子のツバ
１３          帽子のステップ部材
Ｋ３          冠り物
１４          鉢巻き部材
１５          バンド部材
１６，１７    係止布
１８          帯状本体
【図１】
2007131961.tif 000003
【図２】
2007131961.tif 000004
【図３】
2007131961.tif 000005
【図４】
2007131961.tif 000006
【図５】
2007131961.tif 000007
【図６】
2007131961.tif 000008
【図７】
2007131961.tif 000009
【図８】
2007131961.tif 000010
【図９】
2007131961.tif 000011